(57)【要約】【目的】  より少ない部品点数で確実に電源投入時のポップ音を除去し、音声再生時の音声出力歪みも防止し、なおかつ消費電流を減少できるようにする。【構成】  電源投入時には、第２の制御回路２の抵抗Ｒ２とコンデンサＣ１の時定数でＶ１の電圧レベルは上昇し、第２の制御回路２のＰ−ＭＯＳはオン（ＯＮ）していてＶ２＝ハイ（Ｈ）レベルとなり、第１の制御回路１のトランジスタＴｒ１を電源投入時から所定時間までオンすることにより音声アンプからスピーカへの入力ラインを遮断し、電源投入時の音声アンプから出力されるポップ音をスピーカへ入力させないようにする。【選択図】        図１
2005064651.tif 000002
【特許請求の範囲】
【請求項１】
増幅手段で増幅された音声信号を音声出力手段へ入力させるか否かを制御する第１の制御手段と、該第１の制御手段の制御を切り換え制御する第２の制御手段とを有し、
前記第２の制御手段は、前記増幅手段の電源投入時から所定時間までは前記第１の制御手段が前記音声信号を前記音声出力手段へ入力させないようにする制御に切り換え制御し、前記所定時間後は前記第１の制御手段が前記音声信号を前記音声出力手段へ入力させるようにする制御に切り換え制御する手段であり、
前記第１の制御手段は、前記第２の制御手段による切り換え制御によって前記増幅手段の電源投入時から所定時間までは前記増幅手段の電源投入時に発生するポップ音を削除するために前記音声出力手段へ前記音声信号を入力させないように制御し、前記所定時間後は前記音声出力手段へ前記音声信号を入力させるように制御する手段であることを特徴とする音声ミュート装置。
【請求項２】
請求項１記載の音声ミュート装置において、
音声再生時に前記音声信号の負電圧に対して前記第１の制御手段からの電流の逆流を防止するために前記第２の制御手段を停止状態に制御する第３の制御手段を設けたことを特徴とする音声ミュート装置。
【請求項３】
増幅手段で増幅された音声信号を音声出力手段へ入力させるか否かを制御する第１の制御手段と、該第１の制御手段の制御を切り換え制御する第２の制御手段と、該第２の制御手段の切り換え制御の動作を制御する第３の制御手段とを有し、
前記第３の制御手段は、電源投入後のＣＰＵリセット中は前記第２の制御手段が前記第１の制御手段に対して前記音声信号を前記音声出力手段へ入力させる制御に切り換え制御するように制御し、ＣＰＵリセットが解除されたときは前記第２の制御手段が前記第１の制御手段に対して前記音声信号を前記音声出力手段へ入力させない制御に切り換え制御するように制御し、ＣＰＵからの音声再生指示に基づいて前記第２の制御手段が前記第１の制御手段に対して前記音声信号を前記音声出力手段へ入力させる制御に切り換え制御するように制御する手段であり、
前記第２の制御手段は、前記第３の制御手段からの制御によって前記電源投入後のＣＰＵリセット中と前記ＣＰＵからの音声再生指示のあったときとは前記第１の制御手段が前記音声信号を前記音声出力手段へ入力させるようにする制御に切り換え、前記ＣＰＵリセットが解除されたときは前記第１の制御手段が前記音声信号を前記音声出力手段へ入力させないようにする制御に切り換える制御をする手段であり、
前記第１の制御手段は、前記第２の制御手段からの制御によって前記ＣＰＵリセット中は前記音声出力手段へ前記音声信号を入力させるように制御し、前記ＣＰＵリセットが解除されたときはＣＰＵリセット解除時に発生するポップ音を削除するために前記音声出力手段へ前記音声信号を入力させないように制御し、前記ＣＰＵからの音声再生指示のあったときは前記音声出力手段へ前記音声信号を入力させるように制御する手段であることを特徴とする音声ミュート装置。
【請求項４】
増幅手段で増幅された音声信号を音声出力手段へ入力させるか否かを制御する第１の制御手段と、該第１の制御手段の制御を切り換え制御する第２の制御手段とを有し、
前記第２の制御手段は、電源投入時から所定時間までに前記第１の制御手段が前記音声信号を前記音声出力手段へ入力させないようにする制御に切り換え制御し、ＣＰＵからの音声再生指示のあったときは前記第１の制御手段が前記音声信号を前記音声出力手段へ入力させるようにする制御に切り換え制御し、電源切断時から所定時間までは前記第１の制御手段が前記音声信号を前記音声出力手段へ入力させないようにする制御に切り換え制御する手段であり、
前記第１の制御手段は、前記第２の制御手段による切り換え制御によって電源投入時から所定時間までに前記第１の制御手段が前記音声信号を前記音声出力手段へ入力させないように制御し、ＣＰＵからの音声再生指示のあったときは前記第１の制御手段が前記音声信号を前記音声出力手段へ入力させるように制御し、電源切断時から所定時間までは前記第１の制御手段が前記音声信号を前記音声出力手段へ入力させないように制御する手段であることを特徴とする音声ミュート装置。
【請求項５】
増幅手段で増幅された音声信号を音声出力手段へ入力させるか否かを制御する第１の制御工程と、該第１の制御工程の制御を切り換え制御する第２の制御工程とからなり、
前記第２の制御工程は、前記増幅手段の電源投入時から所定時間までは前記第１の制御工程で前記音声信号を前記音声出力手段へ入力させないようにする制御に切り換え制御し、前記所定時間後は前記第１の制御工程で前記音声信号を前記音声出力手段へ入力させるようにする制御に切り換え制御する工程であり、
前記第１の制御工程は、前記第２の制御工程による切り換え制御によって前記増幅手段の電源投入時から所定時間までは前記増幅手段の電源投入時に発生するポップ音を削除するために前記音声出力手段へ前記音声信号を入力させないように制御し、前記所定時間後は前記音声出力手段へ前記音声信号を入力させるように制御する工程であることを特徴とする音声ミュート方法。
【請求項６】
請求項５記載の音声ミュート方法において、
音声再生時に前記音声信号の負電圧に対して前記第１の制御工程での電流の逆流を防止するために前記第２の制御工程を停止状態に制御する第３の制御工程を設けたことを特徴とする音声ミュート方法。
【請求項７】
増幅手段で増幅された音声信号を音声出力手段へ入力させるか否かを制御する第１の制御工程と、該第１の制御工程の制御を切り換え制御する第２の制御工程と、該第２の制御工程の切り換え制御の動作を制御する第３の制御工程とからなり、
前記第３の制御工程は、電源投入後のＣＰＵリセット中は前記第２の制御工程によって前記第１の制御工程で前記音声信号を前記音声出力手段へ入力させる制御に切り換え制御するように制御し、ＣＰＵリセットが解除されたときは前記第２の制御工程によって前記第１の制御工程で前記音声信号を前記音声出力手段へ入力させない制御に切り換え制御するように制御し、ＣＰＵからの音声再生指示に基づいて前記第２の制御工程によって前記第１の制御手段で前記音声信号を前記音声出力手段へ入力させる制御に切り換え制御するように制御する工程であり、
前記第２の制御工程は、前記第３の制御工程の制御によって前記電源投入後のＣＰＵリセット中と前記ＣＰＵからの音声再生指示のあったときとは前記第１の制御工程で前記音声信号を前記音声出力手段へ入力させるようにする制御に切り換え、前記ＣＰＵリセットが解除されたときは前記第１の制御工程で前記音声信号を前記音声出力手段へ入力させないようにする制御に切り換える制御をする工程であり、
前記第１の制御工程は、前記第２の制御工程の制御によって前記ＣＰＵリセット中は前記音声出力手段へ前記音声信号を入力させるように制御し、前記ＣＰＵリセットが解除されたときはＣＰＵリセット解除時に発生するポップ音を削除するために前記音声出力手段へ前記音声信号を入力させないように制御し、前記ＣＰＵからの音声再生指示のあったときは前記音声出力手段へ前記音声信号を入力させるように制御する工程であることを特徴とする音声ミュート方法。
【請求項８】
増幅手段で増幅された音声信号を音声出力手段へ入力させるか否かを制御する第１の制御工程と、該第１の制御工程の制御を切り換え制御する第２の制御工程とからなり、
前記第２の制御工程は、電源投入時から所定時間までに前記第１の制御工程で前記音声信号を前記音声出力手段へ入力させないようにする制御に切り換え制御し、ＣＰＵからの音声再生指示のあったときは前記第１の制御工程で前記音声信号を前記音声出力手段へ入力させるようにする制御に切り換え制御し、電源切断時から所定時間までは前記第１の制御工程で前記音声信号を前記音声出力手段へ入力させないようにする制御に切り換え制御する工程であり、
前記第１の制御工程は、前記第２の制御工程による切り換え制御によって電源投入時から所定時間までに前記第１の制御工程で前記音声信号を前記音声出力手段へ入力させないように制御し、ＣＰＵからの音声再生指示のあったときは前記第１の制御工程で前記音声信号を前記音声出力手段へ入力させるように制御し、電源切断時から所定時間までは前記第１の制御工程で前記音声信号を前記音声出力手段へ入力させないように制御する工程であることを特徴とする音声ミュート方法。
【請求項９】
請求項１乃至４のいずれか一項に記載の音声ミュート装置を備えたことを特徴とする光ディスク装置。
【発明の詳細な説明】
【技術分野】
【０００１】
この発明は、音声をミュート（消音）するオーディオ回路等の音声ミュート装置とその音声ミュート方法と音声ミュート装置を備えたＣＤ−Ｒ／ＲＷディスク装置，ＤＶＤディスク装置等の光ディスク装置とに関する。
【背景技術】
【０００２】
図１１はオーディオの音声ミュート回路の構成を示すブロック図であり、図１２は図１１に示す音声ミュート回路の各部の出力レベルを示す波形図である。
この音声ミュート回路では、ミュート信号＝ロー（Ｌ）の時に音声を消音（ミュート）し、ミュート信号＝ハイ（Ｈ）の時に音声を出力する構成にしている。
電源オン時のポップ音対策として、電源オン時には、接合型電界効果トランジスタ（接合型ＦＥＴ：Ｐ−ＪＦＥＴ１）をオン（ＯＮ）にして、音声の増幅回路（音声アンプ）の出力ラインからＧＮＤに電流を流すようにしている。
しかし、図１１に示す接合型ＦＥＴ：Ｐ−ＪＦＥＴ１ではＯＮ抵抗が高いために電流を流しきれない。つまり、電源オン時にポップ音を除去しきれないということになる。
【０００３】
そのため図１３のような音声ミュート回路も考えられている。図１４は図１３に示す音声ミュート回路の各部の出力レベルを示す波形図である。
図１３に示す音声ミュート回路では、接合型ＦＥＴではなくＮＰＮ型トランジスタＴｒ１を用いている。基本的動作は上述と同様に、ミュート信号＝ロー（Ｌ）の時に音声をミュートし、ミュート信号＝ハイ（Ｈ）の時に音声を出力する。
そして、電源オン時のポップ音対策として、電源オン時には、Ｖ１＝ＬレベルとなりトランジスタＴｒ２をオン（ＯＮ）にして、Ｖ２＝ハイ（Ｈ）レベルとなりトランジスタＴｒ１がオン（ＯＮ）になり、音声の増幅回路（音声アンプ）の出力ラインからＧＮＤに電流を流すようにしている。
【０００４】
このＮＰＮ型トランジスタＴｒ１は、ＯＮ抵抗が接合型ＦＥＴより低いため、音声アンプの出力ラインからＧＮＤに十分電流を流せるようになっている。
よって、この図１３に示す音声ミュート回路では電源オン時のポップ音対策を十分に行うことができる。
しかし、図１３の音声ミュート回路では、音声再生時に音声出力が歪んでしまうという問題が起こってしまう。
これは、音声再生時はＶ２＝ＧＮＤになるため、Ｖ３に負電圧が印加されるとＮＰＮ型トランジスタＴｒ１のベース・コレクタ間のダイオードが順方向になり、コレクタに印加されている電圧よりも低い電圧が印加されなくなり、下限リミッタが挿入されたことと同じことになって出力波形が歪んでしまうのである。
【０００５】
従来、その２つの問題を解決するために図１５に示す音声ミュート回路が考えられている。図１６は図１５に示す音声ミュート回路の各部の出力レベルを示す波形図である。
図１５に示す音声ミュート回路では、上述の音声ミュート回路と同様に、ミュート信号＝ロー（Ｌ）の時に音声をミュートし、ミュート信号＝ハイ（Ｈ）の時に音声を出力し、電源オン時のポップ音対策として、電源オン時には、ミュート信号から＝ハイ（Ｈ）レベルの信号が出ているが、抵抗Ｒ２とコンデンサＣ２の積分回路によって徐々にしかＶ１の電圧レベルが上昇していかない。そのため、電源投入直後において、電界効果トランジスタＦＥＴ１はオフ（ＯＦＦ）していて、Ｖ２＝ハイ（Ｈ）レベルとなりトランジスタＴｒ１がオンすることによってポップ音対策を行っている。
そして、電源投入から時間が経つにつれて、コンデンサＣ２に電荷が充電されていって、Ｖ１の電圧レベルが上がって電界効果トランジスタＦＥＴ１はオン（ＯＮ）になり、Ｖ２＝ロー（Ｌ）レベルとなってトランジスタＴＲ１がオフ（ＯＦＦ）して音声再生が行える状態になる。
【０００６】
つまり、図１５に示す音声ミュート回路は、電源投入から抵抗Ｒ２とコンデンサＣ２の積分回路によってＶ１の電圧上昇を遅らせて電界効果トランジスタＦＥＴ１がオンするのも遅らせることにより、電源投入後、トランジスタＴｒ１がオンしている時間を作ってポップ音を除去し、電界効果トランジスタＦＥＴ１１がオンの後は自動的に音声再生できる状態にしようという回路である。
この回路では、時定数をポップ音対策に十分なものにしておけば、十分にポップ音対策を行うことができる。また、音声再生時に、音声出力が歪むという問題の対策としてＣ１を挿入している。これにより、電源投入時のポップ音対策と音声再生時の音声出力歪み対策を行っている（例えば、特許文献１参照）。
【特許文献１】特開平９−４６１４９号公報
【発明の開示】
【発明が解決しようとする課題】
【０００７】
しかしながら、上述した音声ミュート回路では、音声回路の出力にコンデンサＣ１よりも大きい容量のコンデンサが挿入された場合、電源投入時のポップ音をコンデンサＣ１では吸収しきれないという問題がある。
それを防ぐためにコンデンサＣ１の容量を大きくすれば、ポップ音を吸収することができるが、コンデンサＣ４に電荷が蓄えられる時に再びポップ音が発生するという問題がある。また、音声再生時、電源→抵抗Ｒ１→電界効果トランジスタＦＥＴ１のＯＮ抵抗→ＧＮＤの経路や電源→抵抗Ｒ１→トランジスタＴｒ１のベース・エミッタ→ＧＮＤの経路で電流が流れっぱなしになってしまう。
この発明は上記の点に鑑みてなされたものであり、より少ない部品点数で確実に電源投入時のポップ音を除去し、音声再生時の音声出力歪みも防止し、なおかつ消費電流を減少できるようにすることを目的とする。
【課題を解決するための手段】
【０００８】
この発明は上記の目的を達成するため、次の（１）〜（４）の音声ミュート装置を提供する。
（１）増幅手段で増幅された音声信号を音声出力手段へ入力させるか否かを制御する第１の制御手段と、その第１の制御手段の制御を切り換え制御する第２の制御手段を有し、上記第２の制御手段は、上記増幅手段の電源投入時から所定時間までは上記第１の制御手段が上記音声信号を上記音声出力手段へ入力させないようにする制御に切り換え制御し、上記所定時間後は上記第１の制御手段が上記音声信号を上記音声出力手段へ入力させるようにする制御に切り換え制御する手段であり、上記第１の制御手段は、上記第２の制御手段による切り換え制御によって上記増幅手段の電源投入時から所定時間までは上記増幅手段の電源投入時に発生するポップ音を削除するために上記音声出力手段へ上記音声信号を入力させないように制御し、上記所定時間後は上記音声出力手段へ上記音声信号を入力させるように制御する手段である音声ミュート装置。
（２）上記（１）の音声ミュート装置において、音声再生時に上記音声信号の負電圧に対して上記第１の制御手段からの電流の逆流を防止するために上記第２の制御手段を停止状態に制御する第３の制御手段を設けた音声ミュート装置。
【０００９】
（３）増幅手段で増幅された音声信号を音声出力手段へ入力させるか否かを制御する第１の制御手段と、その第１の制御手段の制御を切り換え制御する第２の制御手段と、その第２の制御手段の切り換え制御の動作を制御する第３の制御手段を有し、上記第３の制御手段は、電源投入後のＣＰＵリセット中は上記第２の制御手段が上記第１の制御手段に対して上記音声信号を上記音声出力手段へ入力させる制御に切り換え制御するように制御し、ＣＰＵリセットが解除されたときは上記第２の制御手段が上記第１の制御手段に対して上記音声信号を上記音声出力手段へ入力させない制御に切り換え制御するように制御し、ＣＰＵからの音声再生指示に基づいて上記第２の制御手段が上記第１の制御手段に対して上記音声信号を上記音声出力手段へ入力させる制御に切り換え制御するように制御する手段であり、上記第２の制御手段は、上記第３の制御手段からの制御によって上記電源投入後のＣＰＵリセット中と上記ＣＰＵからの音声再生指示のあったときとは上記第１の制御手段が上記音声信号を上記音声出力手段へ入力させるようにする制御に切り換え、上記ＣＰＵリセットが解除されたときは上記第１の制御手段が上記音声信号を上記音声出力手段へ入力させないようにする制御に切り換える制御をする手段であり、上記第１の制御手段は、上記第２の制御手段からの制御によって上記ＣＰＵリセット中は上記音声出力手段へ上記音声信号を入力させるように制御し、上記ＣＰＵリセットが解除されたときはＣＰＵリセット解除時に発生するポップ音を削除するために上記音声出力手段へ上記音声信号を入力させないように制御し、上記ＣＰＵからの音声再生指示のあったときは上記音声出力手段へ上記音声信号を入力させるように制御する手段である音声ミュート装置。
【００１０】
（４）増幅手段で増幅された音声信号を音声出力手段へ入力させるか否かを制御する第１の制御手段と、その第１の制御手段の制御を切り換え制御する第２の制御手段を有し、上記第２の制御手段は、電源投入時から所定時間までに上記第１の制御手段が上記音声信号を上記音声出力手段へ入力させないようにする制御に切り換え制御し、ＣＰＵからの音声再生指示のあったときは上記第１の制御手段が上記音声信号を上記音声出力手段へ入力させるようにする制御に切り換え制御し、電源切断時から所定時間までは上記第１の制御手段が上記音声信号を上記音声出力手段へ入力させないようにする制御に切り換え制御する手段であり、上記第１の制御手段は、上記第２の制御手段による切り換え制御によって電源投入時から所定時間までに上記第１の制御手段が上記音声信号を上記音声出力手段へ入力させないように制御し、ＣＰＵからの音声再生指示のあったときは上記第１の制御手段が上記音声信号を上記音声出力手段へ入力させるように制御し、電源切断時から所定時間までは上記第１の制御手段が上記音声信号を上記音声出力手段へ入力させないように制御する手段である音声ミュート装置。
【００１１】
また、次の（５）〜（８）の音声ミュート方法も提供する。
（５）増幅手段で増幅された音声信号を音声出力手段へ入力させるか否かを制御する第１の制御工程と、その第１の制御工程の制御を切り換え制御する第２の制御工程とからなり、上記第２の制御工程は、上記増幅手段の電源投入時から所定時間までは上記第１の制御工程で上記音声信号を上記音声出力手段へ入力させないようにする制御に切り換え制御し、上記所定時間後は上記第１の制御工程で上記音声信号を上記音声出力手段へ入力させるようにする制御に切り換え制御する工程であり、上記第１の制御工程は、上記第２の制御工程による切り換え制御によって上記増幅手段の電源投入時から所定時間までは上記増幅手段の電源投入時に発生するポップ音を削除するために上記音声出力手段へ上記音声信号を入力させないように制御し、上記所定時間後は上記音声出力手段へ上記音声信号を入力させるように制御する工程である音声ミュート方法。
（６）上記（５）の音声ミュート方法において、音声再生時に上記音声信号の負電圧に対して上記第１の制御工程での電流の逆流を防止するために上記第２の制御工程を停止状態に制御する第３の制御工程を設けた音声ミュート方法。
【００１２】
（７）増幅手段で増幅された音声信号を音声出力手段へ入力させるか否かを制御する第１の制御工程と、その第１の制御工程の制御を切り換え制御する第２の制御工程と、その第２の制御工程の切り換え制御の動作を制御する第３の制御工程とからなり、上記第３の制御工程は、電源投入後のＣＰＵリセット中は上記第２の制御工程によって上記第１の制御工程で上記音声信号を上記音声出力手段へ入力させる制御に切り換え制御するように制御し、ＣＰＵリセットが解除されたときは上記第２の制御工程によって上記第１の制御工程で上記音声信号を上記音声出力手段へ入力させない制御に切り換え制御するように制御し、ＣＰＵからの音声再生指示に基づいて上記第２の制御工程によって上記第１の制御手段で上記音声信号を上記音声出力手段へ入力させる制御に切り換え制御するように制御する工程であり、上記第２の制御工程は、上記第３の制御工程の制御によって上記電源投入後のＣＰＵリセット中と上記ＣＰＵからの音声再生指示のあったときとは上記第１の制御工程で上記音声信号を上記音声出力手段へ入力させるようにする制御に切り換え、上記ＣＰＵリセットが解除されたときは上記第１の制御工程で上記音声信号を上記音声出力手段へ入力させないようにする制御に切り換える制御をする工程であり、上記第１の制御工程は、上記第２の制御工程の制御によって上記ＣＰＵリセット中は上記音声出力手段へ上記音声信号を入力させるように制御し、上記ＣＰＵリセットが解除されたときはＣＰＵリセット解除時に発生するポップ音を削除するために上記音声出力手段へ上記音声信号を入力させないように制御し、上記ＣＰＵからの音声再生指示のあったときは上記音声出力手段へ上記音声信号を入力させるように制御する工程である音声ミュート方法。
【００１３】
（８）増幅手段で増幅された音声信号を音声出力手段へ入力させるか否かを制御する第１の制御工程と、その第１の制御工程の制御を切り換え制御する第２の制御工程とからなり、上記第２の制御工程は、電源投入時から所定時間までに上記第１の制御工程で上記音声信号を上記音声出力手段へ入力させないようにする制御に切り換え制御し、ＣＰＵからの音声再生指示のあったときは上記第１の制御工程で上記音声信号を上記音声出力手段へ入力させるようにする制御に切り換え制御し、電源切断時から所定時間までは上記第１の制御工程で上記音声信号を上記音声出力手段へ入力させないようにする制御に切り換え制御する工程であり、上記第１の制御工程は、上記第２の制御工程による切り換え制御によって電源投入時から所定時間までに上記第１の制御工程で上記音声信号を上記音声出力手段へ入力させないように制御し、ＣＰＵからの音声再生指示のあったときは上記第１の制御工程で上記音声信号を上記音声出力手段へ入力させるように制御し、電源切断時から所定時間までは上記第１の制御工程で上記音声信号を上記音声出力手段へ入力させないように制御する工程である音声ミュート方法。
【００１４】
さらに、次の（９）の光ディスク装置も提供する。
（９）上記（１）乃至（４）のいずれかの音声ミュート装置を備えた光ディスク装置。
【発明の効果】
【００１５】
この発明による音声ミュート装置と音声ミュート方法と音声ミュート装置を備えた光ディスク装置は、より少ない部品点数で確実に電源投入時のポップ音を除去し、音声再生時の音声出力歪みも防止し、なおかつ消費電流を減少することができる。
【発明を実施するための最良の形態】
【００１６】
以下、この発明の実施例を図面に基づいて具体的に説明する。
〔実施例１〕
図２は、この発明の一実施形態である光ディスク装置を使用した情報処理装置の概略構成を示す図である。
この情報処理装置は、光ディスク装置（光ディスクドライブ）１０とホストコンピュータ１１とからなる。
ホストコンピュータ１１は、キーボード，マウス等の入力装置１２と、ＣＲＴ，ＬＣＤ等の表示装置１３と、ＣＰＵ１４とからなるパーソナルコンピュータ等の装置である。
【００１７】
光ディスク装置１０は、ＭＤ，ＭＯ，ＣＤ，ＣＤ−ＲＯＭ，ＣＤ−Ｒディスク，ＣＤ−ＲＷディスク，ＣＤ＋Ｒディスク，ＣＤ＋ＲＷディスク，ＤＶＤ−Ｒディスク，ＤＶＤ＋Ｒディスク，ＤＶＤ−ＲＷディスク，ＤＶＤ＋ＲＷディスク，ＤＶＤ−ＲＡＭディスク，ＤＶＤ＋ＲＡＭディスク等の光ディスク（記録媒体）に大容量の情報を記録したり、光ディスクに記録された情報を再生する装置である。
【００１８】
例えば、上記ＣＤ−ＲディスクとＣＤ−ＲＷディスクは、書き込みが可能な（記録可能な）ＣＤ（コンパクトディスク）であり、前者のＣＤ−Ｒ（ＣＤレコーダブル）ディスクは、１回だけ書き込みが可能なＣＤである（なお、ＣＤ−Ｗｒｉｔｅ  Ｏｎｃｅともいわれている）。また、後者のＣＤ−ＲＷ（ＣＤリライタブル）ディスクは、複数回の書き込みが可能なＣＤである（なお、ＣＤ−Ｅ（ＣＤイレーザブル）ともいわれている）。
これらのＣＤ−ＲディスクやＣＤ−ＷＲディスク、すなわち、光ディスクは、次の図３のような構成の光ディスク１０によって情報の記録再生が行われる。
【００１９】
図３は、図２に示す光ディスク装置の構成を示すブロック図である。
この光ディスク装置は、後述するミュート回路を備えたこの発明の一実施例である光ディスク装置に相当する。
この光ディスク装置１０は、５０は光ディスク、２０はスピンドルモータ、２１は光ピックアップ、２２はモータドライバ、２３はリードアンプ、２４はサーボ部、２５はＣＤデコーダ、２６はＡＴＩＰデコーダ、２７はレーザコントローラ、２８はＣＤエンコーダ、２９はＣＤ−ＲＯＭエンコーダ、３０はバッファＲＡＭ、３１はバッファマネージャ、３２はＣＤ−ＲＯＭデコーダ、３３はＡＴＡＰＩ／ＳＣＳＩインタフェース、３４はＤ／Ａコンバータ、３５はＲＯＭ、３６はＣＰＵ、３７はＲＡＭ、３８は音声アンプ（増幅回路）、３９はスピーカ、４０は音声ミュート回路を示し、Ｌはレーザ光を示している。
この図３において、矢印はデータが主に流れる方向を示しており、また、図を簡略化するために、図３の各ブロックを制御するＣＰＵ３６と各ブロックとの接続の図示を省略している。
【００２０】
次に、この光ディスク装置の動作について説明する。
光ディスク５０は、スピンドルモータ２０によって回転駆動される。このスピンドルモータ２０は、モータドライバ２２とサーボ部２４により、線速度が一定になるように制御される。この線速度は、階段的に変更することが可能である。
光ピックアップ２１は、図示を省略した公知のレーザダイオード等の半導体レーザ光源（ＬＤ），光学系，フォーカスアクチュエータ，トラックアクチュエータ，受光素子及びポジションセンサを内蔵しており、レーザ光Ｌを光ディスク５０に照射する。
また、この光ピックアップ２１は、シークモータによってスレッジ方向への移動が可能である。これらのフォーカスアクチュエータ，トラックアクチュエータ，シークモータは、受光素子とポジションセンサから得られる信号に基いて、モータドライバ２２とサーボ部２４により、レーザ光Ｌのスポットが光ディスク５０上の目的の場所に位置するように制御される。
【００２１】
そして、リード（情報再生）時には、光ピックアップ２１によって得られた再生信号が、リードアンプ２３で増幅されて２値化された後、ＣＤデコーダ２５に入力される。その入力された２値化データはＣＤデコーダ２５において、ＥＦＭ（Ｅｉｇｈｔ  ｔｏ  Ｆｏｕｒｔｅｅｎ  Ｍｏｄｕｌａｔｉｏｎ）復調される。
なお、記録データは、８ビットずつまとめられてＥＦＭ変調されており、このＥＦＭ変調では、８ビットを１４ビットに変換し、結合ビットを３ビット付加して合計１７ビットにする。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００２２】
復調されたデータは、デインターリーブとエラー訂正の処理が行われる。その後、このデータは、ＣＤ−ＲＯＭデコーダ３２へ入力され、データの信頼性を高めるために、さらに、エラー訂正の処理が行われる。
このように２回のエラー訂正の処理が行われたデータは、バッファマネージャ３１によって一旦バッファＲＡＭ３０に蓄えられ、セクタデータとして揃った状態で、ＡＴＡＰＩ／ＳＣＳＩインタフェース（Ｉ／Ｆ）３３を介してホストコンピュータ（パーソナルコンピュータ）へ一気に転送される。
なお、音楽データを含む音声データの場合には、ＣＤデコーダ２５から出力されたデータが、Ｄ／Ａコンバータ３４へ入力され、アナログの音声信号（オーディオ信号（オーディオ））として取り出される。
【００２３】
Ｄ／Ａコンバータ３４から出力された音声信号は音声アンプ（増幅回路：増幅手段）３８で増幅されてスピーカ（音声出力手段）３９に入力され、スピーカ３９から音声として出力される。音声ミュート回路４０はこの音声アンプ３８からスピーカ３９への入力ライン上に設けており、電源投入時，ＣＰＵリセット解除時，電源切断時のポップ音の除去を行う。
また、ライト（情報記録）時には、ＡＴＡＰＩ／ＳＣＳＩ・Ｉ／Ｆ３３を通して、ホストコンピュータから送られてきたデータは、バッファマネージャ３１によって一旦バッファＲＡＭ３０に蓄えられる。
【００２４】
そして、バッファＲＡＭ３０内にある程度の量のデータが蓄積された状態で、ライト動作が開始されるが、この場合には、その前にレーザスポットを書き込み開始地点に位置させる必要がある。この地点は、トラックの蛇行により予め光ディスク５０上に刻まれているウォブル信号によって求められる。
ウォブル信号には、ＡＴＩＰと呼ばれる絶対時間情報が含まれており、この情報が、ＡＴＩＰデコーダ２６によって取り出される。また、このＡＴＩＰデコーダ２６によって生成される同期信号は、ＣＤエンコーダ２８へ入力され、光ディスク５０上の正確な位置へのデータの書き込みを可能にしている。バッファＲＡＭ３０のデータは、ＣＤ−ＲＯＭエンコーダ２９やＣＤエンコーダ２８において、エラー訂正コードの付加や、インターリーブが行われ、レーザコントローラ２７、光ピックアップ２１を介して、光ディスク５０に記録される。
【００２５】
なお、ＥＦＭ変調されたデータは、ビットストリームとしてチャンネルビットレート４．３２１８Ｍｂｐｓ（標準速）でレーザを駆動する。この場合の記録データは、５８８チャンネルビット単位でＥＦＭフレームを構成する。チャンネルクロックとは、このチャンネルビットの周波数のクロックを意味する。
【００２６】
次に、上記光ディスク装置の音声ミュート回路４０について説明する。
図１は、図３に示す音声ミュート回路４０の構成を示すブロック図である。
この音声ミュート回路４０は、トランジスタＴｒ１，抵抗Ｒ１からなる第１の制御回路１（上記請求項１の第１の制御手段に相当する）と、Ｐ−ＭＯＳ，抵抗Ｒ２，コンデンサＣ１からなる第２の制御回路２（上記請求項１の第２の制御手段に相当する）で構成されており、この発明の請求項１に係る音声ミュート装置の機能を果たす。
この音声ミュート回路４０では、ミュート信号＝ロー（Ｌ）の時にスピーカからの音声をミュート（消音）することができ、ミュート信号＝ハイ（Ｈ）の時にスピーカから音声が出力される構成になっている。この音声ミュート回路において、音声再生時はＰ−ＭＯＳがオフしているので、どこにも電流が流れないようになっている。
【００２７】
電源投入（電源入力，電源オン）時のポップ音ミュート対策として、電源投入時には、第２の制御回路２の抵抗Ｒ２とコンデンサＣ１の時定数でＶ１の電圧レベルは上昇していく。そのため、電源入力直後において、第２の制御回路２のＰ−ＭＯＳはオン（ＯＮ）していてＶ２＝ハイ（Ｈ）レベルとなり、電源投入時から所定時間までは第１の制御回路１のトランジスタＴｒ１をオンする（請求項５の第２の制御工程）。第１の制御回路１のトランジスタＴｒ１は電源投入時から所定時間までオンすることにより音声アンプからスピーカへの入力ラインを遮断し、電源投入時の音声アンプから出力されるポップ音をスピーカへ入力させないようにする（請求項５の第１の制御工程）。
【００２８】
そして、電源投入から時間が経つにつれて、第１の制御回路１のコンデンサＣ１に電荷が充電されていってＶ１の電圧レベルが上がり、第２の制御回路２のＰ−ＭＯＳはオフ（ＯＦＦ）し、Ｖ２＝ロー（Ｌ）レベルとなり、第１の制御回路１のトランジスタＴｒ１がオフ（ＯＦＦ）して音声アンプからスピーカへ音声信号を入力させるようにして音声再生が行える状態になる。
つまり、この音声ミュート回路４０では、電源投入から抵抗Ｒ２とコンデンサＣ２の積分回路によりＶ１の電圧上昇を遅らせてＰ−ＭＯＳがオフするのも遅らせることにより、電源投入後にトランジスタＴｒ１がオンしている時間を作ってポップ音を除去し、Ｐ−ＭＯＳオフ後は自動的に音声再生できる状態にすることができる。
【００２９】
ここで、上記時定数をポップ音対策に十分なものにしておけば、十分にポップ音対策を行うことができる。
このように、もし音声再生中にミュートさせる必要がないならば、ＣＰＵで第２の制御回路２を制御しなくても、この回路構成で電源投入時のみトランジスタＴｒ１をオンさせることによってミュートし、電源投入後は自動的に音声再生できる状態にすることができる。
【００３０】
次に、この発明に係る他の音声ミュート回路について説明する。
図４は、この発明に係る他の音声ミュート回路の構成例を示すブロック図である。
図５は、図４に示す音声ミュート回路における各所の信号レベルの変化を示す波形図である。
この音声ミュート回路４１は、トランジスタＴｒ１，抵抗Ｒ１からなる第１の制御回路３（上記請求項２の第１の制御手段に相当する）と、Ｐ−ＭＯＳ，抵抗Ｒ２，コンデンサＣ１からなる第２の制御回路４（上記請求項２の第２の制御手段に相当する）と、ＣＰＵ３６（上記請求項２の第３の制御手段に相当する）とから構成されている。
このような回路構成で、電源投入時のポップ音ミュート対策と音声再生時の歪み対策を行いながら省電力と部品点数削減を実現している。
【００３１】
この音声ミュート回路４１では、ミュート信号＝ロー（Ｌ）の時にスピーカからの音声をミュート（消音）することができ、ミュート信号＝ハイ（Ｈ）の時にスピーカから音声が出力される構成になっている。この音声ミュート回路において、音声再生時はＰ−ＭＯＳがオフしているので、どこにも電流が流れないようになっている。
電源投入（電源入力，電源オン）時のポップ音ミュート対策として、電源投入時には、第２の制御回路４の抵抗Ｒ２とコンデンサＣ１の時定数でＶ１の電圧レベルは上昇していく。そのため、電源入力直後において、第２の制御回路４のＰ−ＭＯＳはオン（ＯＮ）していてＶ２＝ハイ（Ｈ）レベルとなり、電源投入時から所定時間までは第１の制御回路３のトランジスタＴｒ１をオンにする（請求項６の第２の制御工程）。
第１の制御回路３のトランジスタＴｒ１は電源投入時から所定時間までオンすることにより音声アンプからスピーカへの入力ラインを遮断し、電源投入時の音声アンプから出力されるポップ音をスピーカへ入力させないようにする（請求項６の第１の制御工程）。
【００３２】
そして、電源投入から時間が経つにつれて、第１の制御回路３のコンデンサＣ１に電荷が充電されていってＶ１の電圧レベルが上がり、第２の制御回路４のＰ−ＭＯＳはオフ（ＯＦＦ）し、Ｖ２＝ロー（Ｌ）レベルとなり、第１の制御回路３のトランジスタＴｒ１がオフ（ＯＦＦ）して音声アンプからスピーカへ音声信号を入力させるようにして音声再生が行える状態になる。
つまり、この音声ミュート回路４１では、電源投入から抵抗Ｒ２とコンデンサＣ２の積分回路によりＶ１の電圧上昇を遅らせてＰ−ＭＯＳがオフするのも遅らせることにより、電源投入後にトランジスタＴｒ１がオンしている時間を作ってポップ音を除去し、Ｐ−ＭＯＳオフ後は自動的に音声再生できる状態にすることができる。ここで、上記時定数をポップ音対策に十分なものにしておけば、十分にポップ音対策を行うことができる。
【００３３】
また、音声再生時に、音声出力が歪むという問題の対策としては、音声再生時にＣＰＵ３６がミュート信号によって第２の制御回路４のＰ−ＭＯＳをオフ（ＯＦＦ）させて、Ｖ２ラインを完全に他の回路と分離した状態にすることにより（請求項６の第３の制御工程）、Ｖ３に負電圧が印加されても第１の制御回路３のトランジスタＴｒ１のベース・コレクタ間のダイオードが順方向にならないようにして下限リミッタが発生させないようにし、第１の制御回路３からの第２の制御回路４への電流の逆流を防止することができる。
このようにして、電源投入時のポップ音ミュート対策と音声再生時の音声出力歪み対策を行っている。
したがって、この音声ミュート回路４１によれば、より少ない部品点数の必要最低限な回路構成で電源投入時のポップ音を除去することができ、音声再生時の音声出力歪みも防止することができ、音声再生時のミュート回路の消費電流を０にすることができる。
【００３４】
次に、この発明に係るさらに他の音声ミュート回路について説明する。
電源投入時のポップ音の主なるものは電源投入後のＣＰＵ３６のＣＰＵリセットが解除された瞬間に生じるものである。そのため、長い時間ＣＰＵをリセットしておく必要がある場合において、上述の音声ミュート回路のコンデンサＣ１と抵抗Ｒ２によって作る時定数ではポップ音を除去しきれない恐れがある。
その場合、次のような回路構成にすると確実に電源投入時のポップ音を除去することができる。
【００３５】
図６はこの発明に係るさらに他の音声ミュート回路の構成例を示すブロック図である。
図７は、図６に示す音声ミュート回路における各所の信号レベルの変化を示す波形図である。
この音声ミュート回路４２は、トランジスタＴｒ１，抵抗Ｒ１からなる第１の制御回路５（上記請求項３の第１の制御手段に相当する）と、Ｐ−ＭＯＳ，抵抗Ｒ２からなる第２の制御回路６（上記請求項３の第２の制御手段に相当する）と、ＣＰＵ３６，ＯＲ回路，インバータからなる第３の制御回路（上記請求項３の第３の制御手段に相当する）７とから構成されている。
【００３６】
この音声ミュート回路４２では、ミュート信号＝ロー（Ｌ）の時にスピーカからの音声をミュートすることができ、ミュート信号＝ハイ（Ｈ）の時にスピーカから音声を出力する構成になっている。
電源投入（電源入力，電源オン）時のポップ音ミュート対策として、電源投入時には、第３の制御回路７においてＣＰＵ３６から出力されるＣＰＵリセット信号はロー（Ｌ）レベルになり、電源投入後のＣＰＵリセット中（ＣＰＵリセット信号がＬの時のＣＰＵリセット中）の場合、インバータとＯＲ回路を経由してＶ３はハイ（Ｈ）になり（請求項７の第３の制御工程）、この時点では第２の制御回路６のＰ−ＭＯＳはオフしており（請求項７の第２の制御工程）、第１の制御回路５のトランジスタＴｒ１がオフになり、音声アンプからスピーカへ音声信号を入力させるようにして音声再生が行える状態になる（請求項７の第１の制御工程）。
【００３７】
その後、ＣＰＵリセット信号がハイ（Ｈ）になり（ＣＰＵリセット解除）、それに応じてＶ３の電圧レベルはロー（Ｌ）になり（請求項７の第３の制御工程）、第２の制御回路６のＰ−ＭＯＳはオンして（請求項７の第２の制御工程）、第１の制御回路５のトランジスタＴｒ１をオンにする。
そして、ＣＰＵリセット解除時に第１の制御回路５のトランジスタＴｒ１はオンすることにより音声アンプからスピーカへの入力ラインを遮断し、ＣＰＵリセット解除時に発生するポップ音をスピーカへ入力させないようにする（請求項７の第１の制御工程）。
このようにして、ＣＰＵリセットが解除された瞬間のポップ音ミュート対策を行うことができる。
【００３８】
さらに、ポップ音が消滅した後に、第３の制御回路７のＣＰＵ３６からミュート信号をハイ（Ｈ）にしてやれば（音声再生指示）、ＯＲ回路を経由してＶ３はハイ（Ｈ）になり（請求項７の第３の制御工程）、第２の制御回路６のＰ−ＭＯＳをオフにし（請求項７の第２の制御工程）、第１の制御回路５のトランジスタＴｒ１がオフになり、音声アンプからスピーカへ音声信号を入力させるようにして音声再生が行える状態になる（請求項７の第１の制御工程）。
このようにして、この音声ミュート回路４２によれば、電源投入時のＣＰＵリセット解除によるポップ音を確実に除去することができる。
【００３９】
次に、この発明に係るさらにまた他の音声ミュート回路について説明する。
電源投入時だけでなく、電源切断（電源オフ）時ポップ音ミュート対策を行うこともできる。
図８は、この発明に係るさらにまた他の音声ミュート回路の構成例を示すブロック図である。
図９は、図８に示す音声ミュート回路における電源切断時の各所の信号レベルの変化を示す波形図である。
図１０は、図８に示す音声ミュート回路における電源投入時の各所の信号レベルの変化を示す波形図である。
【００４０】
この音声ミュート回路４３は、トランジスタＴｒ１，抵抗Ｒ１からなる第１の制御回路８（上記請求項４の第１の制御手段に相当する）と、Ｐ−ＭＯＳ，コンデンサＣ１，抵抗Ｒ２，抵抗Ｒ３からなる第２の制御回路９とから構成されている。
この音声ミュート回路４３では、ミュート信号＝ロー（Ｌ）の時にスピーカからの音声をミュートすることができ、ミュート信号＝ハイ（Ｈ）の時にスピーカから音声を出力する構成になっている。
電源切断（電源オフ）時のポップ音ミュート対策として（図９参照）、電源切断時には、Ｖ１の電圧レベルは電源電圧の下降と共に下降していく。
【００４１】
しかし、Ｖ２の電圧レベルは第２の制御回路９の抵抗Ｒ２とコンデンサＣ１の時定数分の時間をかけながら下降していく。そのため、電源切断後も図９のＶ３に示すように、第２の制御回路９のＰ−ＭＯＳがオンしている時間を作ることができる。
そして、第２の制御回路９のＰ−ＭＯＳがオンしていることにより（請求項８の第２の制御工程）、第１の制御回路８のトランジスタＴｒ１がオンし、第１の制御回路５のトランジスタＴｒ１はオンすることにより音声アンプからスピーカへの入力ラインを遮断し、電源切断時に発生するポップ音をスピーカへ入力させないようにする（請求項８の第１の制御工程）。
【００４２】
電源投入時のポップ音ミュート対策としては（図１０参照）、電源投入時、第２の制御回路９の抵抗Ｒ２とコンデンサＣ１の時定数でＶ２の電圧レベルは上昇していく。
そのため、電源投入直後、第２の制御回路９のＰ−ＭＯＳはオフしているが、徐々にＶ２の電圧レベルは上昇していってＰ−ＭＯＳはオンし（請求項８の第２の制御工程）、Ｖ２の電圧がＶ３に伝達されて第１の制御回路８のトランジスタＴｒ１がオンすることにより音声アンプからスピーカへの入力ラインを遮断し、電源投入時に発生するポップ音をスピーカへ入力させないようにする（請求項８の第１の制御工程）。
【００４３】
そして、ポップ音が消滅した後に、ＣＰＵ３６のミュート信号をハイ（Ｈ）にしてやれば（音声再生指示）、第２の制御回路６のＰ−ＭＯＳをオフにし（請求項８の第２の制御工程）、第１の制御回路５のトランジスタＴｒ１がオフになり、音声アンプからスピーカへ音声信号を入力させるようにして音声再生が行える状態になる（請求項８の第１の制御工程）。
【００４４】
また、音声再生時に、音声出力が歪むという問題の対策としては、音声再生時にＣＰＵ３６がミュート信号によって第２の制御回路９のＰ−ＭＯＳをオフ（ＯＦＦ）させて、Ｖ２ラインを完全に他の回路と分離した状態にすることにより（請求項８の第２の制御工程）、Ｖ３に負電圧が印加されても第１の制御回路８のトランジスタＴｒ１のベース・コレクタ間のダイオードが順方向にならないようにして下限リミッタが発生させないようにし、第１の制御回路８からの第２の制御回路９への電流の逆流を防止することができる。
このようにして、電源投入時だけでなく電源切断時のポップ音ミュート対策と音声再生時の音声出力歪み対策を行っている。
【産業上の利用可能性】
【００４５】
この発明による音声ミュート装置と音声ミュート方法と音声ミュート装置を備えた光ディスク装置は、デスクトップパソコン，ノートブックパソコン等のパーソナルコンピュータにおいても適用することができる。
【図面の簡単な説明】
【００４６】
【図１】図３に示す音声ミュート回路４０の構成を示すブロック図である。
【図２】この発明の一実施形態である光ディスク装置を使用した情報処理装置の概略構成を示す図である。
【図３】図２に示す光ディスク装置の構成を示すブロック図である。
【図４】この発明に係る他の音声ミュート回路の構成例を示すブロック図である。
【図５】図４に示す音声ミュート回路における各所の信号レベルの変化を示す波形図である。
【図６】この発明に係るさらに他の音声ミュート回路の構成例を示すブロック図である。
【図７】図６に示す音声ミュート回路における各所の信号レベルの変化を示す波形図である。
【図８】この発明に係るさらにまた他の音声ミュート回路の構成例を示すブロック図である。
【図９】図８に示す音声ミュート回路における電源切断時の各所の信号レベルの変化を示す波形図である。
【図１０】図８に示す音声ミュート回路における電源投入時の各所の信号レベルの変化を示す波形図である。
【図１１】従来の音声ミュート回路の構成を示すブロック図である。
【図１２】図１１に示す従来の音声ミュート回路の各部の出力レベルを示す波形図である。
【図１３】従来の他の音声ミュート回路の構成を示すブロック図である。
【図１４】図１３に示す従来の音声ミュート回路の各部の出力レベルを示す波形図である。
【図１５】従来のさらに他の音声ミュート回路の構成を示すブロック図である。
【図１６】図１５に示す従来の音声ミュート回路の各部の出力レベルを示す波形図である。
【符号の説明】
【００４７】
１，３，５，８：第１の制御回路    ２，４，６，９：第２の制御回路    ７：第３の制御回路    １０：光ディスク装置    １１：ホストコンピュータ    １２：入力装置    １３：表示装置    １４：ＣＰＵ    ２０：スピンドルモータ    ２１：光ピックアップ    ２２：モータドライバ    ２３：リードアンプ    ２４：サーボ部    ２５：ＣＤデコーダ    ２６：ＡＴＩＰデコーダ    ２７：レーザコントローラ    ２８：ＣＤエンコーダ    ２９：ＣＤ−ＲＯＭエンコーダ    ３０：バッファＲＡＭ    ３１：バッファマネージャ    ３２：ＣＤ−ＲＯＭデコーダ    ３３：ＡＴＡＰＩ／ＳＣＳＩインタフェース    ３４：Ｄ／Ａコンバータ    ３５：ＲＯＭ    ３６：ＣＰＵ    ３７：ＲＡＭ    ３８：音声アンプ（増幅回路）    ３９：スピーカ    ４０，４１，４２，４３：音声ミュート回路    ５０：光ディスク
【図１】
2005064651.tif 000003
【図２】
2005064651.tif 000004
【図３】
2005064651.tif 000005
【図４】
2005064651.tif 000006
【図５】
2005064651.tif 000007
【図６】
2005064651.tif 000008
【図７】
2005064651.tif 000009
【図８】
2005064651.tif 000010
【図９】
2005064651.tif 000011
【図１０】
2005064651.tif 000012
【図１１】
2005064651.tif 000013
【図１２】
2005064651.tif 000014
【図１３】
2005064651.tif 000015
【図１４】
2005064651.tif 000016
【図１５】
2005064651.tif 000017
【図１６】
2005064651.tif 000018